(57)【要約】【課題】印刷物の見えをモニタに再現するために観察照明環境の照明の分光分布を考慮した印刷プロファイルを作成する印刷物表示方法・装置・プログラムを提供する。【解決手段】印刷物２２の所定色の色パッチ２６の分光反射率ρ（λ）と、複数の照明の分光分布Ｐ（λ）とを演算して、演算測色値を得るとともに、観察照明環境下に配置された色パッチ２６を測色して測定測色値を得え、複数の照明中、演算測色値と測定測色値との間の誤差量が最小となる照明を選出する。選出された照明の分光分布を用いて印刷プロファイルを作成する。【選択図】図１
2010081327.tif 000002
【特許請求の範囲】
【請求項１】
印刷機から出力される印刷物のデバイス依存の画像データを印刷プロファイルによりデバイス非依存の画像データに変換した後、該デバイス非依存の画像データをモニタプロファイルによりモニタのデバイス依存の画像データに変換し、前記印刷物と前記モニタの同一観察照明環境下で、前記モニタのデバイス依存の画像データにより前記モニタに前記印刷物の見えをプルーフ画像として再現するモニタへの印刷物表示方法であって、
前記印刷物の所定色の色パッチの分光反射率と、複数の照明の分光分布とを演算して、演算測色値を得る過程と、
前記色パッチを前記観察照明環境下に配置し測色計により測色して測定測色値を得る過程と、
複数の前記照明中、前記演算測色値と前記測定測色値との間の誤差量が最小となる照明を選出する過程と、
複数の前記照明の分光分布中、選出された照明の分光分布を用いて前記印刷プロファイルを作成する印刷プロファイル作成過程と、
を備えることを特徴とするモニタへの印刷物表示方法。
【請求項２】
請求項１記載のモニタへの印刷物表示方法において、
前記所定色の前記色パッチは、少なくとも白色の色パッチを含む複数の色パッチである
ことを特徴とするモニタへの印刷物表示方法。
【請求項３】
請求項１記載のモニタへの印刷物表示方法において、
前記誤差量をＸＹＺ表色系の自乗平均誤差とする
ことを特徴とするモニタへの印刷物表示方法。
【請求項４】
請求項１記載のモニタへの印刷物表示方法において、
前記誤差量をＣＩＥＬａｂ色空間の色差とする
ことを特徴とするモニタへの印刷物表示方法。
【請求項５】
請求項１〜４のいずれか１項に記載のモニタへの印刷物表示方法において、
前記照明の分光分布は、複数の前記照明の予め格納された主成分データより演算により求める
ことを特徴とするモニタへの印刷物表示方法。
【請求項６】
印刷機から出力される印刷物のデバイス依存の画像データを印刷プロファイルによりデバイス非依存の画像データに変換した後、該デバイス非依存の画像データをモニタプロファイルによりモニタのデバイス依存の画像データに変換し、前記印刷物と前記モニタの同一観察照明環境下で、前記モニタのデバイス依存の画像データにより前記モニタに前記印刷物の見えをプルーフ画像として再現するモニタへの印刷物表示装置であって、
前記印刷物の所定色の色パッチの分光反射率と、複数の照明の分光分布とを演算して、演算測色値を得る演算測色値取得部と、
前記観察照明環境下に配置された前記色パッチを測色して測定測色値を得る望遠型測色計と、
複数の前記照明中、前記演算測色値と前記測定測色値との間の誤差量が最小となる照明を選出する照明選出部と、
複数の前記照明の分光分布中、選出された照明の分光分布を用いて前記印刷プロファイルを作成する印刷プロファイル作成部と、
を備えることを特徴とするモニタへの印刷物表示装置。
【請求項７】
印刷機から出力される印刷物のデバイス依存の画像データを印刷プロファイルによりデバイス非依存の画像データに変換した後、該デバイス非依存の画像データをモニタプロファイルによりモニタのデバイス依存の画像データに変換し、前記印刷物と前記モニタの同一観察照明環境下で、前記モニタのデバイス依存の画像データにより前記モニタに前記印刷物の見えをプルーフ画像として再現する際、
コンピュータに、
前記印刷物の所定色の色パッチの分光反射率と、複数の照明の分光分布とを演算して、演算測色値を得る演算測色値取得機能と、
前記観察照明環境下に配置された前記色パッチの望遠型測色計により測色された測定測色値を得る測定側色値取得機能と、
複数の前記照明中、前記演算測色値と前記測定測色値との間の誤差量が最小となる照明を選出する照明選出機能と、
複数の前記照明の分光分布中、選出された照明の分光分布を用いて前記印刷プロファイルを作成する印刷プロファイル作成機能と、
を実現させるためのモニタへの印刷物表示に係わるプログラム。
【発明の詳細な説明】
【技術分野】
【０００１】
この発明は、印刷物の見えをモニタに再現するモニタへの印刷物表示方法、装置及びプログラムに関する。
【背景技術】
【０００２】
近時、モニタ（ディスプレイ、表示部）上に印刷物のプルーフ画像を表示して前記印刷物の色校正を行うモニタプルーフ（ソフトプルーフ）が提案されている。このモニタプルーフは、校正が迅速に行えるという利点がある。
【０００３】
一般に、前記印刷物の色が該印刷物を照明する照明光の特性に依存して変化することから、前記印刷物の見えを前記モニタに再現する前記モニタプルーフにおいては、実際の観察照明環境の照明光特性を考慮することが必要である。なお、照明光が視対象（ここでは印刷物）の見えに及ぼす影響を演色という。
【０００４】
しかし、現実の前記観察照明環境の前記照明光特性を予め知ることが出来ない場合があり、前記観察照明環境に依存して前記モニタ上のプルーフ画像の見えが変化してしまうという問題がある。
【０００５】
この問題を解決するために、特許文献１では、所定の複数色の分光反射率と、光源の分光分布を保持し、ユーザが観察条件を入力することで、観察条件に対応したプロファイルを作成する手法が開示されている。
【０００６】
しかしながら、現実の照明は様々な種類があり、正確な再現のためには非常に多くの照明データから適切な照明データを選択する必要があり、必ずしも適切な観察条件を入力できるとは限らなかった。
【０００７】
これに対し、特許文献２には、白色点の色度から観察照明を特定する手法が開示されているが、白色の色度は同一でも分光分布特性の異なる照明が多数存在し、適切な照明データを選択できない場合がある。
【０００８】
また、観察照明環境で分光輝度計などを用いて照明の分光分布を測定すれば、正確な照明の分光分布特性を求めることが可能であるが、分光輝度計は高価であり、持ち運びも容易ではないことが多いため実用的ではなかった。
【０００９】
【特許文献１】特開２００７−８１５８６号公報（［００１７］）
【特許文献２】特開２０００−５００８９号公報
【発明の開示】
【発明が解決しようとする課題】
【００１０】
この発明は、印刷物の見えをモニタに再現するために観察照明環境の照明光分布特性を考慮した印刷プロファイルを作成する際、観察照明環境に対応した照明光分布特性を容易に特定することを可能とするモニタへの印刷物表示方法、装置及びプロファイルを提供することを目的とする。
【課題を解決するための手段】
【００１１】
この発明に係るモニタへの印刷物表示方法は、印刷機から出力される印刷物のデバイス依存の画像データを印刷プロファイルによりデバイス非依存の画像データに変換した後、該デバイス非依存の画像データをモニタプロファイルによりモニタのデバイス依存の画像データに変換し、前記印刷物と前記モニタの同一観察照明環境下で、前記モニタのデバイス依存の画像データにより前記モニタに前記印刷物の見えをプルーフ画像として再現するモニタへの印刷物表示方法であって、前記印刷物の所定色の色パッチの分光反射率と、複数の照明の分光分布とを演算して、演算測色値を得る過程と、前記色パッチを前記観察照明環境下に配置し測色計により測色して測定測色値を得る過程と、複数の前記照明中、前記演算測色値と前記測定測色値との間の誤差量が最小となる照明を選出する過程と、複数の前記照明の分光分布中、選出された照明の分光分布を用いて前記印刷プロファイルを作成する印刷プロファイル作成過程と、を備える。
【００１２】
この発明によれば、印刷物の所定色の色パッチの分光反射率と、複数の照明の分光分布とを演算して、演算測色値を得るとともに、複数の前記色パッチを観察照明環境下に配置し各色パッチを測色計により測色して、測定測色値を得た後、複数の前記照明中、前記演算測色値と前記測定測色値との間の誤差量が最小となる照明を選出し、複数の前記照明の分光分布中、選出された照明の分光分布を用いて前記印刷プロファイルを作成する。
【００１３】
照明選出の精度を上げるために、前記所定色の前記色パッチは、少なくとも白色の色パッチを含む複数の色パッチとすることが好ましい。
【００１４】
なお、前記誤差量は、ＸＹＺ表色系の自乗平均誤差又はＣＩＥＬａｂ色空間の色差とすることができる。
【００１５】
データを格納するメモリの容量を低減するために、前記照明の分光分布は、予め求め格納しておいた複数の前記照明の主成分データから演算により求めるようにすることが好ましい。
【００１６】
なお、この発明は、種々の形態で実現することが可能であり、上記モニタへの印刷物表示方法の他、例えば、モニタへの印刷物表示装置、この装置の機能を実現するためのコンピュータプログラム等の形態で実現することができる。
【発明の効果】
【００１７】
この発明によれば、印刷物の見えをモニタに再現するために観察照明環境の照明光分布特性を考慮した印刷プロファイルを作成する際、観察照明環境に対応した照明光分布特性を容易に選出することができる。
【００１８】
そして、選出した観察照明環境の照明光分布特性を考慮し、短時間かつ簡易に観察照明環境に対応した印刷物の正確なプルーフ画像をモニタに表示することができる。
【発明を実施するための最良の形態】
【００１９】
以下、この発明のモニタへの印刷物表示方法を実施する画像処理再現システムについて図面を参照して説明する。
【００２０】
図１は、画像処理再現システム１０の構成例を示している。この画像処理再現システム１０は、ワークステーション等のコンピュータ１２とモニタ１４とを含んで構成される。
【００２１】
この画像処理再現システム１０は、印刷物２２に形成されたカラー画像である印刷画像２０と、この印刷画像２０に対応してモニタ１４に表示された同一絵柄のカラー画像であるプルーフ画像１２０との観察照明環境（同一の観察照明環境）下での見えを一致させるシステムである。なお、この実施形態において、観察照明環境は、例えば、蛍光灯により照明された室内２００である。
【００２２】
コンピュータ１２は、ＣＰＵが各種入力に基づきＲＯＭ等のメモリに記憶されているプログラムを実行することで各種の機能を実現する機能実現部（機能実現手段）として動作する。これらの機能は、ハードウエアにより実現することもできる。その場合、用語「〜部」は、「〜回路」、「〜器」、または「〜装置」に置換することができる。
【００２３】
図２は、コンピュータ１２の機能実現部を含む構成を示すブロック図である。
【００２４】
図１において、ＣＴＰ装置１６は、入力ポート１０３を通じて入力される印刷物用画像データＣＭＹＫ｛単に、印刷物ＣＭＹＫ（シアン、マゼンタ、黄、黒）ともいう。｝、入力ポート１０２を通じて入力されるプロファイル作成用のカラーチャート用画像データＣＭＹＫ（単に、カラーチャートＣＭＹＫともいう。）、又は入力ポート１０１を通じて入力される７色パッチ用画像データＣＭＹＫ（単に、７色パッチＣＭＹＫともいう。）等の画像データＣＭＹＫを受けて、それぞれ対応する刷版ＣＭＹＫを作成する。
【００２５】
なお、入力ポート１０１〜１０３には、図示しない画像読取装置（スキャナやデジタルカメラ等）の出力、あるいは印刷物のデザインレイアウト等を行う図示しないＤＴＰ（Ｄｅｓｋ  Ｔｏｐ  Ｐｕｂｌｉｓｈｉｎｇ）装置の出力が接続される。
【００２６】
ＣＴＰ装置１６により作成された各刷版ＣＭＹＫは、印刷機１８に装填される。印刷機１８は、装填された各刷版ＣＭＹＫにインクを付けて多色刷りし、それぞれ、印刷用紙上に印刷画像２０が形成された印刷物２２、プロファイル作成用チャート２４、及び７色ＲＧＢＣＭＹＷ（赤、緑、青、シアン、マゼンタ、黄、黒）の各色パッチが形成された７色パッチ２６を出力する。
【００２７】
プロファイル作成用チャート２４は、ＣＭＹＫの所定比率の組み合わせからなる１０００個程度の色パッチを印刷機１８により印刷したものである。１０００個程度の各色パッチは、予め製造業者等において、分光反射率計２８により分光反射率Ｒｉ（λ）が測定される。コンピュータ１２内のプロファイル作成用チャートの分光反射率格納部３０は、測定された分光反射率Ｒｉ（λ）を格納する。
【００２８】
この発明の実施のために印刷された７色パッチ２６のＷ（白）色の色パッチは、印刷用紙の色、いわゆる紙白である。この場合、７色パッチ２６は、印刷画像２０が形成された印刷物２２及びモニタ１４のプルーフ画像１２０を観察する観察照明環境下に置かれる。観察照明環境は、例えば、蛍光灯により照明された室内２００である。
【００２９】
望遠型測色計３２は、その室内２００（観察照明環境下）で、７色パッチ２６の各色パッチの測色値Ｘｉ´Ｙｉ´Ｚｉ´を測定（測色）する。
【００３０】
誤差量算出部３４は、望遠型測色計３２により測色された測色値（測定測色値）Ｘｉ´Ｙｉ´Ｚｉ´を一方の入力ポートに入力させる。
【００３１】
分光反射率計２８は、また、７色パッチ２６の各色パッチの分光反射率ρ（λ）を測定する。
【００３２】
分光反射率ρ（λ）の格納部（分光反射率格納部）３６は、分光反射率計２８により測定された７色パッチ２６の各色パッチの分光反射率ρ（λ）を格納する。
【００３３】
照明の分光分布Ｐ（λ）の格納部｛分光分布格納部又はＰ（λ）格納部という。｝３８は、印刷物２２を観察する環境で使用が想定され予め収集された照明（観察照明環境）の各分光分布Ｐ（λ）を、全て格納する。
【００３４】
なお、観察照明環境の各照明の各分光分布Ｐ（λ）を全て格納すると照明の分光分布格納部３８のメモリ容量が膨大となるので、照明の各分光分布Ｐ（λ）の主成分分析を行い、各照明の例えば第１〜第３主成分のみを格納するメモリ容量の比較的に小さい、照明の分光分布主成分格納部｛Ｐ（λ）主成分格納部ともいう。｝４０を設ける構成とすることが好ましい。Ｐ（λ）主成分格納部を設けた場合、分光分布生成部｛Ｐ（λ）生成部ともいう。｝４２を設け、この分光分布生成部４２により、分光分布主成分格納部４０から各照明の各分光分布Ｐ（λ）の主成分を読み出し、読み出した主成分から当該照明の分光分布Ｐ（λ）を近似的に生成する（復元する）ように構成する。
【００３５】
演算部４４は、分光反射率ρ（λ）格納部３６及び分光分布Ｐ（λ）格納部３８からそれぞれ読み出した各色パッチの分光反射率ρ（λ）と照明の分光分布Ｐ（λ）を掛け合わせて、条件等色に係わる次の（１）〜（３）式により７色パッチ２６の各色パッチの測色値ＸｉＹｉＺｉを算出する。
Ｘｉ＝∫Ｐ（λ）ρ（λ）ｘ（λ）ｄλ                  …（１）
Ｙｉ＝∫Ｐ（λ）ρ（λ）ｙ（λ）ｄλ                  …（２）
Ｚｉ＝∫Ｐ（λ）ρ（λ）ｚ（λ）ｄλ                  …（３）
【００３６】
但し、Ｐ（λ）は照明の分光分布、ρ（λ）は７色パッチ２６の各色パッチの分光反射率、ｘ（λ）、ｙ（λ）、ｚ（λ）は、それぞれ等色関数である。λは、波長であり、積分範囲は、３８０〜７８０［ｎｍ］である。
【００３７】
誤差量算出部３４は、算出された測色値（演算測色値）ＸｉＹｉＺｉを他方の入力ポートに入力させる。
【００３８】
誤差量算出部３４は、測定測色値Ｘｉ´Ｙｉ´Ｚｉ´と演算測色値ＸｉＹｉＺｉを次の（４）式に示す所定演算して誤差量Ｅを算出する。
Ｅ＝Σ｛（Ｘｉ/Ｙｗ−Ｘｉ´/Ｙｗ´）2＋（Ｙｉ/Ｙｗ−Ｙｉ´/Ｙｗ´）2＋（Ｚｉ/Ｙｗ−Ｚｉ´/Ｙｗ´）2｝                      …（４）
【００３９】
但し、Σ記号の初項はｉ＝１で、末項はｉ＝７（７色パッチ２６の「７」に対応する）である。また、Ｙｗ及びＹｗ´は、演算測色値ＸｉＹｉＺｉと測定測色値Ｘｉ´Ｙｉ´Ｚｉ´のそれぞれの測色値における紙白のＹ値である。（４）式において、絶対的な明るさの差は問題にならないのでそれぞれ紙白で規格化している。
【００４０】
なお、誤差量Ｅは、測定測色値Ｘｉ´Ｙｉ´Ｚｉ´と演算測色値ＸｉＹｉＺｉをＣＩＥＬ*ａ*ｂ*（以下、Ｌ*、ａ*、ｂ*は、単にＬ、ａ、ｂと記載する。）値に変換した次の（５）〜（８）式に示す色差ΔＥを用いても求めることができる。
ΔＥ＝｛（ΔＬ）2＋（Δａ）2＋（Δｂ）2｝1/2        …（５）
ΔＬ＝Ｌｉ−Ｌｉ´                                  …（６）
Δａ＝ａｉ−ａｉ´                                  …（７）
Δｂ＝ｂｉ−ｂｉ´                                  …（８）
【００４１】
最小誤差量算出部４６は、誤差量算出部３４で算出された誤差量Ｅを大小比較して誤差量Ｅ中、最小の誤差量（最小誤差量）Ｅｍｉｎを算出する。
【００４２】
分光分布選出（生成）部｛Ｐ（λ）選出（生成）部ともいう。｝４７は、最小誤差量Ｅｍｉｎが算出された照明を選出し、選出した照明の分光分布Ｐ（λ）を分光分布格納部３８から読み出して、又は選出した照明の分光分布Ｐ（λ）を分光分布生成部４２により生成させて測色値算出部４８に供給する。
【００４３】
測色値算出部４８は、条件等色に係わる次の（９）〜（１１）式により測色値ＸｃｉＹｃｉＺｃｉを算出する。
Ｘｃｉ＝∫Ｐ（λ）Ｒｉ（λ）ｘ（λ）ｄλ          …（９）
Ｙｃｉ＝∫Ｐ（λ）Ｒｉ（λ）ｙ（λ）ｄλ          …（１０）
Ｚｃｉ＝∫Ｐ（λ）Ｒｉ（λ）ｚ（λ）ｄλ          …（１１）
【００４４】
但し、Ｐ（λ）は分光分布選出部４７によって選出された照明の分光分布、Ｒｉ（λ）はプロファイル作成用チャートの分光反射率、ｘ（λ）、ｙ（λ）、ｚ（λ）は、それぞれ等色関数である。
【００４５】
印刷プロファイル５０は、入力ポート１０２から入力されたカラーチャート用画像データＣＭＹＫと測色値算出部４８により算出された測色値ＸｃｉＹｃｉＺｃｉとを対応付けた表（変換表）として作成され、入力ポート１０３から入力されるデバイス依存の画像データである印刷物用画像データＣＭＹＫをデバイス非依存の画像データである測色値ＸｃｉＹｃｉＺｃｉに変換する。なお、前記変換表、すなわち印刷プロファイル５０中に、対応する印刷物用画像データＣＭＹＫが存在しなかった場合には、周りの値を補間して測色値ＸｃｉＹｃｉＺｃｉに変換する。
【００４６】
モニタプロファイル５２は、印刷プロファイル５０により変換された測色値ＸｃｉＹｃｉＺｃｉをデバイス依存の画像データであるモニタ用画像データＲＧＢ（赤、緑、青）に変換し、モニタ１４に供給する。
【００４７】
モニタ１４は、モニタ用画像データＲＧＢに対応するプルーフ画像１２０、換言すれば、印刷物２２の印刷画像２０に対応するプルーフ画像１２０を表示する。モニタ１４上に表示されたプルーフ画像１２０は、照明が考慮されているので、その室内２００（観察照明環境下）での印刷物２２の印刷画像２０に見えが一致する。
【００４８】
次に、上述の実施形態による印刷プロファイル５０の作成手順を含む、印刷画像２０に対するプルーフ画像１２０までの表示手順について、図３に示すフローチャートを参照して説明する。
【００４９】
ステップＳ１において、例えばコンピュータ１２のユーザである観察者は、モニタ１４の対象、すなわちモニタプルーフの対象となる印刷系、ここでは印刷機１８を用いて、予め特定色、ここではＲＧＢＣＭＹ及び紙白（Ｗ）よりなる７色パッチ２６を印刷用紙上に印刷し、分光反射率計２８により分光反射率ρ（λ）を取得しておき、分光反射率ρ（λ）格納部３６に格納しておく。
【００５０】
次に、ステップＳ２において、印刷物２２を観察する照明環境で使用が想定される照明の分光分布Ｐ（λ）をできるだけ収集し、全て分光分布Ｐ（λ）格納部３８に保存しておく。収集する照明の分光分布Ｐ（λ）は、メーカーから提供されている各種蛍光灯の分光分布、標準光源の分光分布等である。
【００５１】
なお、各照明の分光分布Ｐ（λ）として、上述したように、印刷物２２を観察する照明環境で使用が想定される照明の分光分布Ｐ（λ）を主成分分析して得られた主成分を、分光分布主成分格納部４０に保存しておき、後に、分光分布生成部４２により演算で分光分布Ｐ（λ）を復元することも可能である。
【００５２】
次いで、ステップＳ３において、特定色パッチである７色パッチ２６を観察照明環境下、この場合、室内２００に配置し、観察者の観察方向から望遠型測色計３２を用いて各色パッチ毎の測色値Ｘｉ´Ｙｉ´Ｚｉ´を測色して求める。
【００５３】
ステップＳ４において、誤差量算出部３４は、ステップＳ２で保存したすべての照明の分光分布Ｐ（λ）に、ステップＳ１で求めた７色パッチ２６の分光反射率ρ（λ）を掛け合わせて上記（１）〜（３）式を用いて測色値（演算測色値）ＸｉＹｉＺｉを算出し、ステップＳ３で求めた測色値（測定測色値）Ｘｉ´Ｙｉ´Ｚｉ´の間で上記（４）式による誤差量Ｅを算出する。誤差量Ｅは、上記（５）式に示す色差ΔＥを用いても良い。
【００５４】
次に、ステップＳ５において、最小誤差量算出部４６は、算出した誤差量Ｅ中、最小値の誤差量Ｅ（最小誤差量Ｅｍｉｎとする。）を算出する。この場合、最小誤差量Ｅｍｉｎが算出されたときの分光分布Ｐ（λ）を持つ照明が、すなわち、もっとも誤差量Ｅが小さかった照明が、観察照明環境の照明であると推定する。
【００５５】
そこで、ステップＳ６において、分光分布Ｐ（λ）選出（生成）部４７は、最小誤差量Ｅｍｉｎが算出されたときの照明の分光分布Ｐ（λ）を分光分布Ｐ（λ）格納部３８から選出する。
【００５６】
次いで、ステップＳ７において、予めプロファイル作成用チャートの分光反射率格納部３０に保存してあるプロファイル作成用チャートの分光反射率Ｒｉ（λ）と、ステップＳ６で抽出した照明の分光分布Ｐ（λ）とから、上記（９）〜（１１）式により、観察環境下、この場合、室内２００内での測色値ＸｃｉＹｃｉＺｃｉを算出する。
【００５７】
このようにして算出した測色値ＸｃｉＹｃｉＺｃｉとカラーチャート用画像データＣＭＹＫとの対応関係が、ステップＳ８において、印刷プロファイル５０として設定される。
【００５８】
次いで、ステップＳ９において、印刷物２２をＣＴＰ装置１６及び印刷機１８を用いて作成する前に、印刷物２０の印刷物用画像データＣＭＹＫを印刷プロファイル５０により、対応する測色値ＸｃｉＹｃｉＺｃｉに変換し、この測色値ＸｃｉＹｃｉＺｃｉをモニタプロファイル５２によりモニタ用画像データＲＧＢに変換し、モニタ１４に供給する。これによりモニタ１４上に印刷物２２の印刷画像２０に対して同一絵柄のプルーフ画像１２０が表示される。
【００５９】
このようにしてモニタ１４上に表示されたプルーフ画像１２０は、その室内２００（観察照明環境下）での印刷物２２の印刷画像２０に見えが一致する。このプルーフ画像１２０を見ながら、これから印刷しようとする印刷物２０の色校正を簡易に行うことができる。
【００６０】
予め準備されている印刷画像２０の印刷物用画像データＣＭＹＫを入力ポート１０３からコンピュータ１２に供給することで、印刷プロファイル５０及びモニタプロファイル５２を経てモニタ１４上にプルーフ画像１２０を表示することができる。
【００６１】
以上説明したように、上述した実施形態によれば、印刷機１８から出力される印刷物２２のデバイス依存の画像データである印刷物用画像データＣＭＹＫを印刷プロファイル５０によりデバイス非依存の画像データである測色値ＸｃｉＹｃｉＺｃｉに変換した後、該デバイス非依存の画像データである測色値ＸｃｉＹｃｉＺｃｉをモニタプロファイル５２によりモニタ１４のデバイス依存の画像データであるモニタ用画像データＲＧＢに変換し、印刷物２２とモニタ１４の同一観察照明環境下、この場合、室内２００内で、モニタ１４のデバイス依存の画像データであるモニタ用画像データＲＧＢによりモニタ１４に印刷物２２の印刷画像２０の見えをプルーフ画像１２０として再現する。
【００６２】
この場合、モニタ１４への再現装置としての印刷物表示装置は、印刷物２２の所定色の色パッチ２６の分光反射率ρ（λ）と、複数の照明の分光分布Ｐ（λ）とを演算して、演算測色値ＸｉＹｉＺｉを得る演算側色値取得部としての演算部４４と、観察照明環境下に配置された色パッチ２６を測色して測定測色値Ｘｉ´Ｙｉ´Ｚｉ´を得る望遠型測色計３２と、複数の照明中、演算測色値ＸｉＹｉＺｉと測定測色値Ｘｉ´Ｙｉ´Ｚｉ´との間の誤差量が最小となる照明を選出する照明選出部（誤差量算出部３４と最小誤差量算出部４６と分光分布選出（生成）部４７とから構成される。）と、複数の前記照明の分光分布Ｐ（λ）中、選出された照明の分光分布Ｐ（λ）を用いて印刷プロファイル５０を作成する印刷プロファイル作成部としての測色値算出部４８と、を備える。
【００６３】
この構成によれば、印刷物２２の見えをモニタ１４に再現するために観察照明環境の照明の分光分布Ｐ（λ）を考慮した印刷プロファイル５０を作成する際、観察照明環境に対応した照明の分光分布Ｐ（λ）を容易に選出することができる。そして、選出した観察照明環境の照明の分光分布Ｐ（λ）を考慮し、短時間かつ簡易に観察照明環境に対応した正確なプルーフ画像１２０をモニタ１４に表示することができる。
【００６４】
上記した所定色の色パッチは、少なくとも、分光反射率値及び測色値のいずれも大きい値となるＷ（白）色の色パッチを含むことが好ましいが、照明の選出をより正確に行うために、ＲＧＢＣＭＹＷの７色パッチ２６を用いることがより好ましい。
【００６５】
なお、この発明は、上述の実施形態に限らず、この明細書の記載内容に基づき、種々の構成を採り得ることはもちろんである。
【図面の簡単な説明】
【００６６】
【図１】この発明の一実施形態に係わる画像処理再現システムの構成図である。
【図２】コンピュータの機能実現部を含む構成を示すブロック図である。
【図３】図１例の画像処理再現システムの動作説明に供されるフローチャートである。
【符号の説明】
【００６７】
１０…画像処理再現システム            １２…コンピュータ
１４…モニタ                          １８…印刷機
２０…印刷物の画像                    ２２…印刷物
２６…色パッチ                        ３２…望遠型測色計
３４…誤差量算出部                    ４４…演算部
４６…最小誤差算出部                  ４７…分光分布選出（生成）部
４８…測色値算出部                    ５０…印刷プロファイル
５２…モニタプロファイル              １２０…プルーフ画像
２００…室内
【図１】
2010081327.tif 000003
【図２】
2010081327.tif 000004
【図３】
2010081327.tif 000005